(57)【特許請求の範囲】
【請求項１】
ＤＣ電力が入力される入力部と、
内蔵電池と、
電子機器に接続され、前記電子機器の二次電池を充電するための電流を出力する出力端子と、
前記内蔵電池を充放電する充放電回路と、
前記入力部と分岐ノードとを接続する第１配線と、
前記分岐ノードと前記出力端子とを接続する第２配線と、
前記分岐ノードと前記充放電回路とを接続する第３配線と、
前記第１配線及び前記第３配線の一方に設けられた第１スイッチと、
前記第２配線に設けられた第２スイッチと、
を有し、
前記充放電回路は、
前記出力端子を介して前記二次電池を充電するための第１充電電流の電流値に基づいて、前記内蔵電池を充電する第２充電電流を前記第１充電電流と同時に流すか否かを決定し、
前記第２配線に流れる前記第１充電電流の電流値に基づいて、前記第３配線に流れる前記第２充電電流を制御し、
前記第１，第２スイッチを導通させて、前記二次電池と前記内蔵電池とを同時に充電し、
前記二次電池と前記内蔵電池とを同時に充電する前に、前記第１，第２スイッチを導通させ、かつ、前記第２充電電流を零として、前記二次電池を充電することを特徴とする充電器。
【請求項２】
ＤＣ電力が入力される入力部と、
内蔵電池と、
電子機器に接続され、前記電子機器の二次電池を充電するための電流を出力する出力端子と、
前記内蔵電池を充放電する充放電回路と、
前記入力部と分岐ノードとを接続する第１配線と、
前記分岐ノードと前記出力端子とを接続する第２配線と、
前記分岐ノードと前記充放電回路とを接続する第３配線と、
前記第１配線及び前記第３配線の一方に設けられた第１スイッチと、
前記第２配線に設けられた第２スイッチと、
を有し、
前記第１スイッチは、前記第１配線に設けられ、
前記充放電回路は、
前記出力端子を介して前記二次電池を充電するための第１充電電流の電流値に基づいて、前記内蔵電池を充電する第２充電電流を前記第１充電電流と同時に流すか否かを決定し、
前記第２配線に流れる前記第１充電電流の電流値に基づいて、前記第３配線に流れる前記第２充電電流を制御し、
前記第１，第２スイッチを導通させて、前記二次電池と前記内蔵電池とを同時に充電し、
前記入力部に前記ＤＣ電力が入力されない時は、前記第１スイッチを非導通とし、前記第２スイッチを導通させて、前記内蔵電池から放電された電力に基づいて、前記二次電池を充電することを特徴とする充電器。
【請求項３】
ＤＣ電力が入力される入力部と、
内蔵電池と、
電子機器に接続され、前記電子機器の二次電池を充電するための電流を出力する出力端子と、
前記内蔵電池を充放電する充放電回路と、
前記入力部と分岐ノードとを接続する第１配線と、
前記分岐ノードと前記出力端子とを接続する第２配線と、
前記分岐ノードと前記充放電回路とを接続する第３配線と、
前記第１配線及び前記第３配線の一方に設けられた第１スイッチと、
前記第２配線に設けられた第２スイッチと、
を有し、
前記第１スイッチは、前記第１配線に設けられ、
前記充放電回路は、
前記出力端子を介して前記二次電池を充電するための第１充電電流の電流値に基づいて、前記内蔵電池を充電する第２充電電流を前記第１充電電流と同時に流すか否かを決定し、
前記第２配線に流れる前記第１充電電流の電流値に基づいて、前記第３配線に流れる前記第２充電電流を制御し、
前記第１，第２スイッチを導通させて、前記二次電池と前記内蔵電池とを同時に充電し、
前記入力部に前記ＤＣ電力が入力されない時であって、前記第１，第２スイッチが共に非導通状態の時に、所定時間毎に、前記第２スイッチを導通させて、前記内蔵電池から放電された電力に基づいて、前記二次電池を充電し、前記出力端子に流れる電流を検出し、検出結果に基づいて、前記第２スイッチを導通状態から非導通状態に切り換えることを特徴とする充電器。
【請求項４】
請求項１乃至３のいずれか一項において、
前記充放電回路は、前記二次電池と前記内蔵電池とを同時に充電した後に、前記第１スイッチを導通させ、前記第２スイッチを非導通として、前記内蔵電池を充電することを特徴とする充電器。
【請求項５】
請求項４において、
前記充放電回路は、前記内蔵電池に流れる電流を検出し、検出結果に基づいて、前記第１スイッチを導通状態から非導通状態に切り換えることを特徴とする充電器。
【請求項６】
ＤＣ電力が入力される入力部と、
内蔵電池と、
前記内蔵電池を充放電する充放電回路と、
電子機器に接続可能であり、前記電子機器の二次電池を充電するための電流を出力する出力端子と、
前記入力部と分岐ノードとを接続する第１配線と、
前記分岐ノードと前記出力端子とを接続する第２配線と、
前記分岐ノードと前記充放電回路とを接続する第３配線と、
前記第１配線に設けられた第１スイッチと、
前記第２配線に設けられた第２スイッチと、
を有し、
前記充放電回路は、
前記入力部からの前記ＤＣ電力に基づいて、前記二次電池及び前記内蔵電池を同時に充電し、または前記二次電池を充電する時に前記第１，第２スイッチを導通させ、
前記入力部からの前記ＤＣ電力に基づいて、前記内蔵電池を充電する時に、前記第１スイッチを導通させ、かつ、前記第２スイッチを非導通とし、
前記内蔵電池を放電させて前記二次電池を充電する時に、前記第１スイッチを非導通とし、かつ、前記第２スイッチを導通とすることを特徴とする充電器。
【請求項７】
ＤＣ電力が入力される入力部と、
内蔵電池と、
電子機器に接続され、前記電子機器の二次電池を充電するための電流を出力する出力端子と、
前記内蔵電池を充放電する充放電回路と、
を有し、
前記充放電回路は、前記入力部に前記ＤＣ電力が入力されない時に、所定時間毎に、前記内蔵電池から放電された電力に基づいて、前記二次電池を充電し、充電中に前記出力端子に流れる電流を検出し、検出結果に基づいて、前記二次電池が満充電に至る前に、前記二次電池の充電を終了することを特徴とする充電器。
【発明の詳細な説明】
【技術分野】
【０００１】
本発明は、携帯電話機等の電子機器の二次電池を充電する充電器に関する。
【背景技術】
【０００２】
消費電流の大きなスマートフォンの普及により、ヘビーユーザーは携帯電話機に充電器を装着して使用する。携帯電話機の二次電池を充電器により充電するために、予め充電器に内蔵された内蔵電池を充電するものがある（特許文献１）。
【０００３】
充電器の内蔵電池を充放電する充放電回路をバイパスするバイパス回路を有し、外部直流電源（ＡＣ／ＤＣコンバータ等）からの電力を、バイパス回路を介して携帯電話機の二次電池に直接供給する充電器も提案されている（特許文献２）。これにより、内蔵電池の充電よりも携帯電話機の二次電池を優先して充電させることができる。
【０００４】
充電器の充放電回路として、携帯電話機の二次電池と、充電器の内蔵電池とを、同時にあるいは順番に充電するものが提案されている（特許文献３）。
【先行技術文献】
【特許文献】
【０００５】
【特許文献１】特開２００７−０４９８２８号公報（要約）
【特許文献２】特開２００７−１１０８２０号公報（要約）
【特許文献３】特開平１０−２７５６３５号公報（要約）
【発明の概要】
【発明が解決しようとする課題】
【０００６】
特許文献２の技術は、必ずしも充電器の内蔵電池を充電することなく、バイパス回路を介して携帯電話機の二次電池を充電させることができる点で、特許文献１の技術よりも優れている。しかし、特許文献２の図１のバイパスＦＥＴ６と充電制御ＦＥＴ５−１は相補的にオンするので（００２８）、携帯電話機の二次電池と充電器の内蔵電池とを同時に充電することはできない。しかも、特許文献２の技術では、充放電経路の切り替えとして、特許文献２の図１に記載された３つのスイッチ（ＦＥＴ５−１，５−２，６）が必須となる。
【０００７】
一方、特許文献３には、充電器の充放電回路が、携帯電話機の二次電池と充電器の内蔵電池とを同時に充電する旨が記載されている（要約、請求項１及び０００７）。ここで、特許文献３の図２または図３には、電子機器１内の電池７の充電を制御する充電制御スイッチＳ４と、充電器２内の電池４の充電を制御する充電制御スイッチＳ５が設けられている。携帯電話機の二次電池と充電器の内蔵電池とを同時に充電するためには、スイッチＳ４，Ｓ５を同時にオンさせなければならない。特許文献３においてスイッチＳ４，Ｓ５が同時にオンされる動作は、段落００２３の後段に唯一記載されている。しかし、段落００２３の後段の動作は、特許文献３の図１に示された電子機器１内に設けられたスイッチＳ３をオフして電子機器１内の電池７への充電を停止した後の動作である。このときにスイッチＳ５がオンとなって充電器２内の電池４の充電が再開されている間に、スイッチＳ４のオン状態が維持されていても、電子機器１の動作上必要な直流電力が供給できるだけで、電子機器１内の電池７は充電されない。従って、特許文献３の要約、請求項１及び０００７の記載は実施例にサポートされたものではなく、特許文献３は携帯電話機の二次電池と充電器の内蔵電池とを同時に充電する技術を開示したものではない。また、特許文献３は、電子機器１内に設けられたスイッチＳ３を充電器２が制御する必要がある上、充電制御のためのスイッチＳ３，Ｓ４，Ｓ５以外に、充放電経路の切り替えのために３つのスイッチＳ１，Ｓ２，Ｓ６を必須としている。
【０００８】
本発明の幾つかの態様は、電子機器内の二次電池への充電を優先させながら、同時に充電器の内蔵電池を充電することができる充電器を提供することを目的とする。
本発明の他の態様は、電子機器内の二次電池及び充電器の内蔵電池のいずれか一つを充電し、あるいは２つを同時に充電するために充電経路を切り替えるスイッチの数を低減した充電器を提供することを目的とする。
【０００９】
本発明のさらに他の態様は、電子機器内の二次電池を長寿命化することができる充電を定期的かつ自動的に実施することができる充電器を提供することを目的とする。
【課題を解決するための手段】
【００１０】
（１）本発明の一態様は、
ＤＣ電力が入力される入力部と、
内蔵電池と、
電子機器に接続され、前記電子機器の二次電池を充電するための電流を出力する出力端子と、
前記内蔵電池を充放電する充放電回路と、
を有し、
前記充放電回路は、前記出力端子を介して前記二次電池を充電するための第１充電電流の電流値に基づいて、前記内蔵電池を充電する第２充電電流を前記第１充電電流と同時に流すか否かを決定する充電器に関する。
【００１１】
本発明の一態様によれば、電子機器内の二次電池と内蔵電池とを同時に充電できるか否かを、出力端子を介して電子機器の二次電池を充電するための第１充電電流の電流値に基づいて決定している。例えば、電子機器の二次電池が満充電に近づく充電後期では、第１充電電流の電流値は自ずと小さくなる。よって、充放電回路は、ＤＣ電力の全部を電子機器内の二次電池を充電するための第１充電電流に割り当てることなく、内蔵電池を充電する第２充電電流に割り当てることができる。また、電子機器の種別によっては、それにより決定される第１充電電流及び前記第２充電電流の電流値の合計が、ＤＣ電力の最大供給電流値よりも小さい場合には充電当初から電子機器内の二次電池と内蔵電池とを同時に充電することができる。電子機器内の二次電池の放電容量（Ａｈ：アンペアアワー）は使用により消費されるので、電子機器内の二次電池を第１充電電流で優先的に充電する一方で、充電器の内蔵電池も同時に充電することができる。これにより、電子機器内の二次電池と同時にそのバックアップ電池（充電器の内蔵電池）を充電することができる。なお、入力部は、外部のＡＣ／ＤＣコンバーターまたはＤＣ／ＤＣコンバーターよりＤＣ電力が入力されるＤＣ電力入力端子とするもの、あるいは外部ＡＣ電源をＤＣ電源に変換するＡＣ／ＤＣコンバーターを内蔵するもの等とすることができる。
【００１２】
（２）本発明の一態様では、
前記入力部と分岐ノードとを接続する第１配線と、
前記分岐ノードと前記出力端子とを接続する第２配線と、
前記分岐ノードと前記充放電回路とを接続する第３配線と、
を含み、
前記充放電回路は、前記第２配線に流れる前記第１充電電流の電流値に基づいて、前記第３配線に流れる前記第２充電電流を制御することができる。
【００１３】
このように、充放電回路は、第２配線に流れる第１充電電流の電流値に基づいて、第１配線から分岐される第３配線に流れる第２充電電流を制御することで、内蔵電池の充電よりも電子機器の充電を優先させることができる。
【００１４】
（３）本発明の一態様では、
前記第１配線及び前記第３配線の一方に設けられた第１スイッチと、
前記第２配線に設けられた第２スイッチと、
をさらに有し、
前記充放電回路は、前記第１，第２スイッチを導通させて、前記二次電池と前記内蔵電池とを同時に充電することができる。
【００１５】
こうすると、第１スイッチは内蔵電池への充電経路を成立させ、第２スイッチは電子機器内の二次電池の充電経路を成立させるので、第１，第２スイッチを導通させることで、電子機器内の二次電池と、充電器の内蔵電池とを同時に充電することができる。
【００１６】
（４）本発明の一態様では、
前記充放電回路は、前記二次電池と前記内蔵電池とを同時に充電する前に、前記第１，第２スイッチを導通させ、かつ、前記第２充電電流を零として、前記二次電池を充電することができる。
【００１７】
こうすると、二次電池を全容量（最大放電容量Ａｈ）のうちの所定割合（例えば９０％以上）まで充電した後に、電子機器内の二次電池と充電器の内蔵電池とを同時に充電して、二次電池を全容量（１００％）に向かうように継続して充電することができる（ＤＣ電力入力がある場合の通常モードまたはＭＡＸモード）。
【００１８】
（５）本発明の一態様では、
前記充放電回路は、前記二次電池と前記内蔵電池とを同時に充電した後に、前記第１スイッチを導通させ、前記第２スイッチを非導通として、前記内蔵電池を充電することができる。
【００１９】
こうすると、電子機器内の二次電池と充電器の内蔵電池とを同時に充電して、電子機器内の二次電池を全容量のうちの所定割合（例えば８０％〜９０％）まで充電した後に、充電器の内蔵電池のみを単独充電することができる（ＤＣ電力入力がある場合のＥＣＯモード）。電子機器内の二次電池を全容量（１００％）まで充電することは、電池寿命を短くするので好ましくないからである。
【００２０】
（６）本発明の一態様では、
前記充放電回路は、前記内蔵電池に流れる電流を検出し、検出結果に基づいて、前記第１スイッチを導通状態から非導通状態に切り換えることができる。
【００２１】
充電電流は、内蔵電池の容量が全容量（最大放電容量Ａｈ）量のうちの所定割合（例えば８０％以上）を超えると減少する。よって、内蔵電池に流れる電流を検出することで、第１スイッチを導通状態から非導通状態に切り換えて内蔵電池の充電を停止することができる。内蔵電池の全容量のうちの例えば８０％〜９０％まで充電した後に、内蔵電池の充電を停止することで、充電器の内蔵電池の寿命を伸ばすことができる。
【００２２】
（７）本発明の一態様では、
前記第１スイッチは、前記第１配線に設けられ、
前記充放電回路は、前記入力部に前記ＤＣ電力が入力されない時は、前記第１スイッチを非導通とし、前記第２スイッチを導通させて、前記内蔵電池から放電された電力に基づいて、前記二次電池を充電することができる。
【００２３】
こうすると、充電器の内蔵電池から電子機器の二次電池への充電経路（内蔵電池からの放電経路）も、第１，第２スイッチの切り換えで実現できる。従来、ＤＣ電力による電子機器内の二次電池の充電と、充電器の内蔵電池の充電と、充電器の内蔵電池からの放電による電子機器内の二次電池の充電とを行うには、経路の切り換えに３つ以上のスイッチを要していた。本態様によると経路切り換えスイッチは２つで済み、従来と比較して部品点数が減少する。なお、充電器の内蔵電池からの放電は、充電器に設けられた操作部からの指示を待って開始するか、あるいは次に述べるように定期的に開始させることができる。
【００２４】
（８）本発明の一態様では、
前記第１スイッチは、前記第１配線に設けられ、
前記充放電回路は、前記入力部に前記ＤＣ電力が入力されない時であって、前記第１，第２スイッチが共に非導通状態の時に、所定時間毎に、前記第２スイッチを導通させて、前記内蔵電池から放電された電力に基づいて、前記二次電池を充電し、前記出力端子に流れる電流を検出し、検出結果に基づいて、前記第２スイッチを導通状態から非導通状態に切り換えることができる。
【００２５】
こうすると、充電器の内蔵電池からの放電を定期的に開始させることができ、かつ、出力端子に流れる電流を検出して放電を停止させることができる。
【００２６】
（９）本発明の他の態様は、
ＤＣ電力が入力される入力部と、
内蔵電池と、
前記内蔵電池を充放電する充放電回路と、
電子機器に接続可能であり、前記電子機器の二次電池を充電するための電流を出力する出力端子と、
前記入力部と分岐ノードとを接続する第１配線と、
前記分岐ノードと前記出力端子とを接続する第２配線と、
前記分岐ノードと前記充放電回路とを接続する第３配線と、
前記第１配線に設けられた第１スイッチと、
前記第２配線に設けられた第２スイッチと、
を有し、
前記充放電回路は、
前記入力部からの前記ＤＣ電力に基づいて、前記二次電池及び前記内蔵電池を同時に充電し、または前記二次電池を充電する時に前記第１，第２スイッチを導通させ、
前記入力部からの前記ＤＣ電力に基づいて、前記内蔵電池を充電する時に、前記第１スイッチを導通させ、かつ、前記第２スイッチを非導通とし、
前記内蔵電池を放電させて前記二次電池を充電する時に、前記第１スイッチを非導通とし、かつ、前記第２スイッチを導通とする充電器に関する。
【００２７】
本発明の他の態様によれば、従来、ＤＣ電力による電子機器内の二次電池の充電と、充電器の内蔵電池の充電と、充電器の内蔵電池からの放電による電子機器内の二次電池の充電とを行うには、経路の切り換えに３つ以上のスイッチを要していた。本態様によると経路切り換えスイッチは２つで済み、従来と比較して部品点数が減少する。加えて、本発明の他の態様によれば、２つの経路切り替えスイッチを用いて、電子機器内の二次電池と内蔵電池とを同時に充電してもよい。
【００２８】
（１０）本発明のさらに他の態様は、
ＤＣ電力が入力される入力部と、
内蔵電池と、
電子機器に接続され、前記電子機器の二次電池を充電するための電流を出力する出力端子と、
前記内蔵電池を充放電する充放電回路と、
を有し、
前記充放電回路は、前記入力部に前記ＤＣ電力が入力されない時に、所定時間毎に、前記内蔵電池から放電された電力に基づいて、前記二次電池を充電し、充電中に前記出力端子に流れる電流を検出し、検出結果に基づいて、前記二次電池が満充電に至る前に、前記二次電池の充電を終了する充電器に関する。
【００２９】
本発明のさらに他の態様によれば、充電器の内蔵電池からの放電を定期的に開始させて、二次電池を充電することができ、かつ、出力端子に流れる電流を検出して、二次電池が満充電に至る前に放電を停止させることができる。二次電池を満充電（容量１００％）まで充電することは電池寿命を短くするので好ましくないからである。また、二次電池を満充電まで充電させないことから、電子機器の使用により消耗する二次電池の電力を定期的にかつ自動的に充電することができる。
【図面の簡単な説明】
【００３０】
【図１】本発明の一実施形態に係る充電器が電子機器に装着された状態を示す図である。
【図２】本発明の一実施形態に係る充電器のブロック図である。
【図３】図３（Ａ）〜図３（Ｃ）は、ＤＣ電力が供給された時の充電器の動作モードを示す図である。
【図４】携帯電話機の充電特性を示す図である。
【図５】図４とは異なる携帯電話機の充電特性を示す図である。
【図６】ＤＣ電力が供給されない時の充電器の動作モードを示す図である。
【図７】充放電回路の一例を示す回路図である。
【図８】図８（Ａ）（Ｂ）は、内蔵電池への充電動作を示す図である。
【図９】図９（Ａ）（Ｂ）は、内蔵電池からの放電動作を示す図である。
【図１０】本発明の他の実施形態に係る充電器のブロック図である。
【図１１】本発明のさらに他の実施形態に係る充電器のブロック図である。
【図１２】オートリピート充電の動作を示すフローチャートである。
【図１３】図１３（Ａ）〜図１３（Ｃ）は、二次電池の充電時間と、二次電池及び内蔵電池のトータル充電時間を説明する図である。
【発明を実施するための形態】
【００３１】
以下、本発明の好適な実施の形態について詳細に説明する。なお、以下に説明する本実施形態は特許請求の範囲に記載された本発明の内容を不当に限定するものではなく、本実施形態で説明される構成の全てが本発明の解決手段として必須であるとは限らない。
【００３２】
１．第１実施形態
１．１．充電器
図１において、充電器１０Ａは、電子機器例えば携帯電話機１に、例えば粘着シート等を介して装着される。また、充電器１０Ａの出力ケーブル（充電ケーブル）１１は、コネクタ等によって携帯電話機１に接続される。よって、充電器１０Ａは、充電器１０ＡをＡＣ電源又はＤＣ電源に接続して充電する時の他、携帯電話機１を携帯する時にも、充電器１０Ａは携帯電話機１に常時接続されている。充電器１０Ａの入力ケーブル１２は、充電器１０ＡがＡ／Ｃコンバーターを内蔵する場合にはＡＣ電源に接続され、充電器１０ＡがＡ／Ｃコンバーターを内蔵しない場合にはＤＣ電源に接続される。つまり、本実施形態の充電器１０Ａは、Ａ／Ｃコンバーターを内蔵するタイプと、Ａ／Ｃコンバーターを内蔵しないタイプとの、２種類のタイプに適用できる。
【００３３】
図２において、充電器１０Ａは、ＤＣ電力が入力される入力部２０と、例えば充電容量が３０００ｍＡｈの内蔵電池（例えばリチウムイオンポリマー電池）３０と、携帯電話機１に接続され、携帯電話機１の二次電池（例えばリチウムイオン電池）２を充電するための電流を出力する出力端子４０と、内蔵電池３０を充放電する充放電回路５０と、を有する。充電器１０Ａの内蔵電池３０もまた二次電池であり、充放電可能である。出力端子４０は、携帯電話機１の入力端子３と接続される。充電器１０Ａは、充電のための各種指示を入力するための操作部６０と、充電残量、充電／非充電、充電モード等を表示する表示部７０等をさらに有することができる。操作部６０には、通常モード（ＭＡＸモード）とＥＣＯモードを切り替えるモード切り替えキーや、充電開始を指示するキー等を設けることができる。例えば充電開始キーを操作すると通常モード（ＭＡＸモード）で充電が開始され、その充電開始キーを長押しすることでＥＣＯモードに切り替えしても良い。こうすると、モード切り替えキーを別途設ける必要がない。
【００３４】
図２では、入力部２０は、ＤＣ入力される入力端子で構成される。また図２では、入力部２０の入力端子にＡＣ／ＤＣコンバーター１００が接続され、例えば家庭用ＡＣ電源からのＡＣ電力がＤＣ電力に変換されて入力部２０に入力される。あるいは、入力部２０には例えば車載用ＤＣ電源が外付けＤＣ／ＤＣコンバーターを介して接続されても良い。あるいは、入力部２０の入力端子の後段にＡＣ／ＤＣコンバーター１００が内蔵されていても良い。この場合、入力端子２０の入力端子にはＡＣ電源が接続される。なお、充電器１０ＡがＡＣ／ＤＣコンバーター１００を内蔵するタイプでは、携帯電話機１の二次電池２を充電する充電電流が大きいと、ＡＣ／ＤＣコンバーター１００での発熱の問題が生ずる。そのため、二次電池２と内蔵電池３０とを同時に充電する場合であって、トータル充電電流が大きくなる場合には、ＡＣ／ＤＣコンバーター１００を内蔵しないことが好ましい。
【００３５】
１．２．同時充電動作（第１充電動作）
図３（Ａ）に示すように、充電器１０Ａでは、充放電回路５０が、出力端子４０を介して二次電池２を充電するための第１充電電流Ａ１の電流値に基づいて、内蔵電池３０を充電する第２充電電流Ａ２を同時に流すか否かを決定している。ここで、第１充電電流Ａ１の電流値は、図２に示すように、出力端子４０に直列に接続された低抵抗Ｒ３の両端電圧V2に基づいて出力端子に流れる電流Ad1を検出して求めることができる。充放電回路５０内の例えばマイクロコンピューター５１（図７）での比較結果に基づいて、第２充電電流Ａ２を流すか否かを決定することができる。こうして、二次電池２と内蔵電池３０とを同時に充電することができる。
【００３６】
ここで、充放電回路５０は、より具体的には、入力部２０に入力される既知の最大直流電流（ＤＣ）と、第１充電電流Ａ１の電流値に基づいて、第２充電電流Ａ２を生成するか否かを決定し、生成する場合には第２充電電流Ａ２の電流値を決定する。入力部２０に入力される最大直流電流（ＤＣ）は、充放電回路５０は予め知ることができる。その一例として、充電器１０ＡがＡＣ／ＤＣコンバーター１００を内蔵していれば、ＤＣ値は一定であり、既知となる。あるいは、ＡＣ／ＤＣコンバーター１００を内蔵していなくても、充電器１０Ａに接続可能なＤＣ電源からの最大直流電流値が例えば１．３Ａ以上との規格を設ければ、ＤＣ値は充放電回路５０にとって１．３Ａ以上と既知となる。これらの既知のＤＣ値は、充放電回路５０の記憶部に予め格納しておくことができる。第１充電電流Ａ１の電流値が分かれば、既知のＤＣ値から第１充電電流Ａ１を差し引いた値がプラスであれば、その余分の電流を第２充電電流Ａ２として、内蔵電池３０に供給できる。つまり、入力部２０に入力される最大直流電流（ＤＣ）＝（第１充電電流Ａ１）＋（生成可能な第２充電電流Ａ２の最大値）となる。充放電回路５０が、生成する第２充電電流Ａ２の電流値をこのように決定することで、携帯電話機１の二次電池２を、内蔵電池３０より優先して充電する。つまり、充放電回路５０は、まず第１充電電流Ａ１をＤＣ電力の範囲内で制限なく優先して流してから、ＤＣ電力の残った分を第２充電電流Ａ２に割り当てることができる。その際には、第１充電電流Ａ１≧第２充電電流Ａ２とすることができ、あるいは第２充電電流Ａ２＞第１充電電流Ａ１になる場合もある。
【００３７】
図２において、充電器１０Ａは、入力部２０と分岐ノードＮＤ１とを接続する第１配線Ｌ１と、分岐ノードＮＤ１と出力端子４０とを接続する第２配線Ｌ２と、分岐ノードＮＤ１と充放電回路５０とを接続する第３配線Ｌ３と、を含むことができる。第１配線Ｌ１には、入力部２０からの直流電流（ＤＣ）が流れる。第２配線Ｌ２には、出力端子４０を介して携帯電話機１の二次電池２を充電するための電流が流れる。第３配線Ｌ３には、内蔵電池３０を充電する充電電流か、あるいは内蔵電池３０から放電された放電電流が流れる。二次電池２と内蔵電池３０とを同時に充電する場合、充放電回路５０は、第２配線Ｌ２に流れる第１充電電流Ａ１に基づいて、第３配線Ｌ３に流れる第２充電電流Ａ２を決定することができる。
【００３８】
１．３．充電経路の切り換えと各種充電動作（第２〜第４充電動作）
図２では、第１配線Ｌ１に設けられた第１スイッチＳＷ１と、第２配線Ｌ２に設けられた第２スイッチＳＷ２とが設けられている。経路切り替えのスイッチはこの第１，第２スイッチＳＷ１，ＳＷ２の２つだけである。第１，第２スイッチＳＷ１，ＳＷ２は、例えばＦＥＴで構成できる。第１，第２スイッチＳＷ１，ＳＷ２は、充放電回路５０内の例えばマイクロコンピューター５１（図７）からのスイッチ切り換え信号ＳＷ１ｃｏｎｔ，ＳＷ２ｃｏｎｔによりオン／オフされる。
【００３９】
充放電回路５０は、入力部２０にＤＣ電力が入力されたか否かを検出できる。このために、入力部２０の入力端子と第１スイッチＳＷ１との間の第１配線Ｌ１上のノードＮＤ２の電圧を、抵抗Ｒ１，Ｒ２で分圧した電圧Ｖ１が、充放電回路５０内の例えばマイクロコンピューター５１（図７）に入力される。なお、入力部２０に電源が接続されているか否かは、表示部７０を介して使用者が知ることができる。
【００４０】
充放電回路５０は、入力部２０にＤＣ電力が入力されている時、図３（Ａ）に示すように、第１充電電流Ａ１の電流値に基づいて第１，第２スイッチＳＷ１，ＳＷ２を導通させて、二次電池２と内蔵電池３０とを同時に充電することができる（第１充電動作）。携帯電話機１の種別によっては、第１充電電流Ａ１の最大電流値が、ＤＣ電力の最大供給電流値よりも小さことがある。この種別は、第１充電電流Ａ１の電流値に基づいて決定できるため、その場合には充電当初から第１充電動作により携帯電話機１内の二次電池２と充電器１０Ａの内蔵電池３０とを同時に充電することができる。
【００４１】
１．３．１．ＤＣ入力による携帯電話機の二次電池の単独充電動作（第２充電動作）
充放電回路５０は、入力部２０にＤＣ電力が入力されている時、図３（Ａ）と同じく第１充電電流Ａ１の電流値に基づいて第１，第２スイッチＳＷ１，ＳＷ２を導通させた状態にて、図３（Ｂ）に示すように第２充電電流Ａ２＝０に制御することができる。それにより、入力部２０に入力された直流電流＝第１充電電流Ａ１を携帯電話機１に供給して、携帯電話機１の二次電池２を充電することができる（第２充電動作）。この充電動作は、例えば図３（Ａ）に示す同時充電動作の前に実施することができる。こうすると、二次電池２を全容量（最大放電容量Ａｈ）のうちの所定割合（例えば９０％以上）まで充電した後には、第１充電電流Ａ１の電流値が小さくなるので、電子機器１内の二次電池２と充電器１０Ａの内蔵電池３０とを同時に充電して、二次電池２を全容量（１００％）に向かうように継続して充電することができる（ＤＣ電力入力がある場合の通常モードまたはＭＡＸモード）。携帯電話機１の種別によっては、第１充電電流Ａ１の最大電流値が、ＤＣ電力の最大供給電流値とほぼ等しく、充電当初から第２充電電流Ａ２を流せないものがある。この種別も、第１充電電流Ａ１の電流値に基づいて決定できるため、その場合には充電当初は第２充電動作させ、第１充電電流Ａ１が小さくなる充電終盤で第１充電動作に切り換えて、携帯電話機１内の二次電池２と充電器１０Ａの内蔵電池３０とを同時に充電することができる。
【００４２】
ここで、電子機器１の充電状態や第１充電電流Ａ１の電流値は、図２に示すように、出力端子４０に直列に接続された低抵抗Ｒ３の両端電圧V2に基づいて出力端子に流れる電流Ad1を検出して求めることができる。充放電回路５０内の例えばマイクロコンピューター
５１（図７）での比較結果に基づいて、第２充電電流Ａ２の制御を、Ａ２＝０からＡ２＞０へ変更することができる。それにより、図３（Ｂ）の動作を終了させ、図３（Ａ）の動作を開始させることができる。
【００４３】
図４及び図５は、メーカーが異なる２種の携帯電話機１の充電特性を示している。図４及び図５のいずれにおいても、携帯電話機１の二次電池２の全容量（最大放電容量Ａｈ）の充電状態に近づくと、充電電流は減少する。そこで、二次電池２の全容量のうちの所定割合（例えば９０％以上）に相当する閾値Ａｔｈ２と検出電流Ａｄ１とを比較することで、充放電回路５０は図３（Ｂ）の動作の終了時期を取得することができる。
【００４４】
１．３．２．ＤＣ入力による充電器の内蔵電池の単独充電動作（第３充電動作）
充放電回路５０は、入力部２０にＤＣ電力が入力されている時、図３（Ｃ）に示すように、第１スイッチＳＷ１を導通させ、第２スイッチＳＷ２を非導通として、内蔵電池３０を充電することができる（第３充電動作）。第２スイッチＳＷ２がオフされているので、第１充電電流Ａ１＝０となり、携帯電話機１の二次電池２は充電されない。それにより、入力部２０に入力された直流電流＝第２充電電流Ａ２にて、内蔵電池３０を充電することができる。
【００４５】
この充電動作は、例えば図３（Ａ）に示す同時充電動作の後に実施することができる。こうすると、携帯電話機１内の二次電池２と充電器１０Ａの内蔵電池３０とを同時に充電して、携帯電話機１内の二次電池２を全容量のうちの所定割合（例えば８０％〜９０％）まで充電した後に、充電器１０Ａの内蔵電池３０のみを単独充電することができる（ＤＣ電力入力がある場合のＥＣＯモード）。携帯電話機１内の二次電池２を全容量（１００％）まで充電することは、電池寿命を短くするので好ましくないからである。この場合、二次電池２の全容量のうちの所定割合（例えば８０％）に相当する閾値Ａｔｈ１か、あるいは９０％に相当する閾値Ａｔｈ２と、検出電流Ａｄ１とを比較することで、充放電回路５０は図３（Ａ）の動作を終了させる時期を取得することができる。
【００４６】
図３（Ｃ）の動作を終了させるために、充放電回路５０は、図２に示すように、内蔵電池３０に流れる電流Ａｄ２を検出し、充放電回路５０内の例えばマイクロコンピューター５１（図７）での比較結果に基づいて、第１スイッチＳＷ１を導通状態から非導通状態に切り換えることができる。内蔵電池３０も図４または図５に示す二次電池２の充電特性と同様に、充電終期に近づくと充電電流は低下するからである。内蔵電池３０の全容量のうちの例えば８０％〜９０％まで充電した後に、内蔵電池３０の充電を停止することで、充電器１０Ａの内蔵電池３０の寿命を伸ばすことができる。
【００４７】
１．３．３．内蔵電池の放電による携帯電話機の二次電池の単独充電動作（第４充電動作）
充放電回路５０は、図６に示すように、入力部２０にＤＣ電力が入力されない時は、第１スイッチＳＷ１を非導通とし、第２スイッチＳＷ２を導通させて、内蔵電池３０から放電された放電電流Ａ３に基づいて、携帯電話機１の二次電池２を充電することができる（第４充電動作）。この充電動作（放電動作）は、例えば操作部６０からの操作指示を待って行うことができる。また、図６に示す充電動作は、上述した通常モード（ＭＡＸモード）では例えば１００％まで充電させ、ＥＣＯモードでは８０〜９０％まで充電させることができる。充電動作の終了は、出力端子４０に流れる検出電流Ａｄ１を閾値と比較した比較結果に基づいて行うことができる。
【００４８】
さらに充放電回路５０は、入力部２０にＤＣ電力が入力されない時であって、例えばＥＣＯモードでの充電終了後（第１，第２スイッチＳＷ１，ＳＷ２が共に非導通状態の充電待機時）に、所定時間（例えば９０分）毎に、図６に示すように、第２スイッチＳＷ２を導通させて、内蔵電池３０から放電された電力に基づいて、二次電池２を充電することができる（ＥＣＯモードでのオートリピート充電機能）。このとき、出力端子４０に流れる電流を検出し、図４または図５に示す閾値との比較結果に基づいて、第２スイッチＳＷ２を導通状態から非導通状態に切り換える。こうすると、二次電池２が満充電に近い状態では、内蔵電池３０からの放電を直ぐに停止することができる。二次電池２が満充電に近くない状態であれば、二次電池２を所定容量まで充電させた後に内蔵電池３０からの放電を停止することができる。
【００４９】
オートリピート充電機能について、図１２のフローチャートを参照して説明する。オートリピート充電を実施するために、充放電回路５０はタイマーを有するか、あるいはタイマーと接続され。ＥＣＯモードでの主充電終了後（ステップ１がＹＥＳ）、タイマーが計時を開始する（ステップ２）。タイマーが所定時間の計時を完了すると（ステップ３がＹＥＳ）、し、オートリピート充電機能による充電が開始される（ステップ４）。その後、ＥＣＯモードでの充電が完了（例えば二次電池２の充電量が満充電に対して８５％）したか否かが判断され（ステップ５）、完了であれば充電が自動停止される（ステップ６）。ステップ５は、出力端子４０に流れる検出電流Ａｄ１を閾値と比較した比較結果に基づいて行うことができる。なお、オートリピート充電機能により充電が開始された際に、既に二次電池２の充電量がＥＣＯモードでの充電量に達していれば、ステップ６にて直ちに充電が自動停止される。
【００５０】
ここで、オートリピート充電により内蔵電池３０の充電量が低下するので、リピート回数に制限を設けることができる。ステップ７では、リピート回数が設定値（例えば５回）に達したか否かが判断される。ステップ７での判断がＹＥＳであればオートリピート機能は終了する。ステップ７での判断がＮＯであれば、リピート回数が更新され（ステップ８）、その後ステップ２〜８が繰り返される。
【００５１】
また、オートリピート機能でのタイマー計時中に充電器１０Ａの出力端子４０が携帯電話機１と非接続となった時は、タイマーが所定時間を計時した時点でオートリピート充電機能は解除される。タイマー計時中に充電器１０Ａを携帯電話機１に再接続すれば、オートリピート充電機能は継続される。この動作を実現するために、図１２のステップ３，４の間に、「充電器が携帯電話機に接続されているか否か」の判断ステップを追加することができる。この判断ステップがＹＥＳ（接続）であればステップ４に移行し、ＮＯ（非接続）であればオートリピート充電機能は終了する。なお、充電器１０Ａの出力端子４０が携帯電話機１と非接続となったことは、例えば出力端子４０に流れる検出電流Ａｄ１により検出できる。
【００５２】
１．４．充放電回路
図７は、充放電回路５０の一例を示す回路図である。充放電回路５０は、マイクロコンピューター５１と、第１パルス幅変調回路ＰＷＭ１と、第２パルス幅変調回路ＰＷＭ２と、コイルＬと、ダイオードＤ１，Ｄ２と、コンデンサーＣ１，Ｃ２とを含むことができる。第１パルス幅変調回路ＰＷＭ１と、コイルＬと、ダイオードＤ１と、コンデンサーＣ１とで、放電制御回路が構成される。第２パルス幅変調回路ＰＷＭ２と、コイルＬと、ダイオードＤ２と、コンデンサーＣ２とで、充電制御回路が構成される。
【００５３】
図８（Ａ）（Ｂ）は、内蔵電池３０への充電動作を示している。図９（Ａ）（Ｂ）は、内蔵電池３０からの放電動作を示している。図７に示すように、マイクロコンピューター５１は内蔵電池３０の出力電圧を抵抗Ｒ４，Ｒ５で分圧した電圧Ｖ３と、内蔵電池３０に直列に接続された低抵抗Ｒ６の両端電圧Ｖ４に基づいて、内蔵電池３０に流れる電流Ａｄ２を検出する。マイクロコンピューター５１はさらに、検出電圧Ｖ３と検出電流Ａｄ２とに基づいて、制御信号ＰＷＭ２ｃｏｎｔにより第２パルス幅変調回路ＰＷＭ２でのパルス幅を変更して、内蔵電池３０を充電制御する。また、図７に示すように、マイクロコンピューター５１はコンデンサーＣ１の出力電圧を抵抗Ｒ７，Ｒ８で分圧して検出した電圧Ｖ５に基づいて、制御信号ＰＷＭ１ｃｏｎｔにより第１パルス幅変調回路ＰＷＭ１でのパルス幅を変更して、内蔵電池３０を放電制御する。図８（Ａ）（Ｂ）では、第２パルス幅変調回路ＰＷＭ２をスイッチＳ２で示している。第２パルス幅変調回路ＰＷＭ２は、スイッチＳ２のオン／オフ時間を制御することでパルス幅を変更できる。同様に、図９（Ａ）（Ｂ）では、第１パルス幅変調回路ＰＷＭ１をスイッチＳ１で示している。第１パルス幅変調回路ＰＷＭ１は、スイッチＳ１のオン／オフ時間を制御することでパルス幅を変更できる。
【００５４】
１．４．１．内蔵電池の充電動作
図８（Ａ）に示すようにスイッチＳ２をオフからオンに切り換えると、コイルＬに左向きの誘導起電力が生じ、図８（Ｂ）に示すようにスイッチＳ１をオンからオフに切り換えると、コイルＬに右向きの誘導起電力が生じ、パルス幅に従ってこの動作が交互に繰り返される。図８（Ａ）では、入力ＤＣ電圧Ｖａ−（コイルＬでの誘起起電力）がコンデンサーＣ２に充電され、図８（Ｂ）では、コイルＬでの誘起起電力がコンデンサーＣ２に充電される。それにより、コンデンサーＣ２を介して内蔵電池３０に充電される。スイッチＳ２をオン／オフするパルス幅を変更することで、内蔵電池３０の充電電流は可変される。スイッチＳ２をオフしたままとすれば、内蔵電池３０は充電されない。こうして、図３（Ａ）〜図３（Ｃ）に示す第１〜第３充電動作に必要な内蔵電池３０の充電電流を実現できる。
【００５５】
１．４．２．内蔵電池の放電動作
図９（Ａ）に示すようにスイッチＳ１をオフからオンに切り換えると、コイルＬに右向きの誘導起電力が生じ、図９（Ｂ）に示すようにスイッチＳ２をオンからオフに切り換えると、コイルＬに左向きの誘導起電力が生じ、パルス幅に従ってこの動作が交互に繰り返される。図９（Ｂ）に示す状態の時に、内蔵電池３０の出力電圧＋（コイルＬでの誘起起電力）が、ダイオードＤ１を介してコンデンサーＣ１に充電される。一方、図９（Ａ）に示す状態の時には、ダイオードＤ１の順方向電流よりもスイッチＳ１を流れる電流が主体的となると共に、コンデンサーＣ１からの放電はダイオードＤ１により防止される。図６に示す第４充電動作では、上述のようにしてコンデンサーＣ１に充電されたＤＣ電圧に基づいて、携帯電話機１の二次電池２が充電される。
【００５６】
１．５．通常（ＭＡＸ）モードとＥＣＯモードの比較
図１３（Ａ）〜図１３（Ｃ）は、上述した第１〜第３充電動作を利用した通常（ＭＡＸ）モードとＥＣＯモード（Ａ，Ｂタイプ）でのトータル充電時間Ｔ１〜Ｔ３と、二次電池３０の充電時間ｔ１〜ｔ３を模式的に示している。図１３（Ａ）は通常（ＭＡＸ）モードでの充電時間Ｔ１を示している。通常（ＭＡＸ）モードでは、二次電池２と内蔵電池３０とは共に１００％まで充電される。二次電池２の充電が優先され、例えば二次電池２が８０〜９０％まで充電される（図３（Ｂ）の第２充電動作）。その後に内蔵電池３０の充電を開始され、二次電池２と内蔵電池３０とが同時充電される（図３（Ａ）の第１充電動作）。二次電池２が１００％まで充電されたら（時間ｔ１）、二次電池２の充電は終了され、内蔵電池３０が１００％（時間Ｔ１）になるまで単独充電される（図３（Ｃ）の第３充電動作）。
【００５７】
図１３（Ｂ）は、携帯電話機１がＡタイプであるＥＣＯモードでの充電時間Ｔ２を示している。ＥＣＯモードでは、二次電池２は例えば８５％まで充電され、内蔵電池３０は１００％まで充電される。図１３（Ｂ）では、先ず二次電池２と内蔵電池３０とが同時充電される（図３（Ａ）の第１充電動作）。この時、二次電池２の充電が優先され、例えば二次電池２の充電に１Ａが割り当てられ、内蔵電池３０の充電には０．４Ａが割り当てられる。二次電池２が８５％（時間ｔ２）まで充電されたら、二次電池２の充電が終了される。その後は、内蔵電池３０の充電に最大電流（例えば１．２Ａ）を割り当てて充電する（図３（Ｃ）の第３充電動作）。内蔵電池３０が１００％（時間Ｔ２）まで充電されたら、充電動作が終了される。
【００５８】
図１３（Ｃ）は、携帯電話機１がＢタイプであるＥＣＯモードでの充電時間Ｔ３を示している。このＥＣＯモードでも、二次電池２は例えば８５％まで充電され、内蔵電池３０は１００％まで充電される。図１３（Ｃ）では、二次電池２の充電が優先され、二次電池２に例えば１．４Ａの電流を供給して８５％まで充電する（図３（Ｂ）の第２充電動作）。二次電池２が８５％（時間ｔ３）まで充電されたら、二次電池２の充電が終了される。その後、内蔵電池３０の充電が開始され、内蔵電池３０に最大電流（例えば１．２Ａ）を割り当てて充電する（図３（Ｃ）の第３充電動作）。内蔵電池３０が１００％（時間Ｔ３）まで充電されたら、充電動作が終了される。
【００５９】
以下の表１は、図１３（Ａ）〜図１３（Ｃ）に示す充電時間Ｔ１〜Ｔ３，ｔ１〜ｔ３を比較したものである。
【表１】
0006513974.tif 000002
【００６０】
表１中の二次電池２の充電時間（ｔ１〜ｔ３）のうち、ＭＡＸモードでの充電時間ｔ１を１００とした場合、ＥＣＯモードでの二次電池２の充電時間ｔ２，ｔ３は次の表２の通りとなる。
【表２】
0006513974.tif 000003
【００６１】
表２から、例えば８５％まで充電するＥＣＯモードでの充電時間ｔ２またはｔ３は、１００％まで充電するＭＡＸモードでの充電時間ｔ１の６０％程度であり、充電時間を４０％程度短縮できる。
【００６２】
２．第２実施形態
図１０に示す本発明の第２実施形態に係る充電器１０Ｂは、図２に示す第１実施形態とは異なり、第１スイッチＳＷ１を第３配線Ｌ３に配置している。この場合、図３（Ａ）〜図３（Ｃ）及び図６に示す第１〜第４充電動作は、第１，第２スイッチＳＷ１，ＳＷ２を次のように切り換えればよい。
【００６３】
図３（Ａ）の第１充電動作：第１，第２スイッチＳＷ１，ＳＷ２はオン。
図３（Ｂ）の第２充電動作：第１スイッチＳＷ１はオフ、第２スイッチＳＷ２はオン。
図３（Ｃ）の第３充電動作：第１スイッチＳＷ１はオン、第２スイッチＳＷ２はオフ。
図６の第４充電動作      ：第１，第２スイッチＳＷ１，ＳＷ２はオン。
【００６４】
ここで、図２の第１実施形態では図３（Ａ）（Ｂ）の第１，第２充電動作でのスイッチ状態は同じであるが、図１０の第２実施形態では図３（Ａ）（Ｂ）の第１，第２充電動作でのスイッチ状態が異なる。このように、スイッチ切り換え動作が多くなる点で、第２実施形態よりも第１実施形態は優れている。
【００６５】
３．第３実施形態
図１１に示す本発明の第３実施形態に係る充電器１０Ｃは、第２実施形態と比較して、第３スイッチＳＷ３を追加している。第３スイッチＳＷ３は、図１１に示す第３，第４ノードＮＤ３，ＮＤ４を接続する第４配線Ｌ４に配置している。この場合、図３（Ａ）〜図３（Ｃ）及び図６に示す第１〜第４充電動作は、第１〜第３スイッチＳＷ１〜ＳＷ３を次のように切り換えればよい。
【００６６】
図３（Ａ）の第１充電動作：第１，第２スイッチＳＷ１，ＳＷ２はオン、第３スイッチＳＷ３はオフ。
図３（Ｂ）の第２充電動作：第１，第３スイッチＳＷ１，ＳＷ３はオフ、第２スイッチＳＷ２はオン。
図３（Ｃ）の第３充電動作：第１スイッチＳＷ１はオン、第２，第３スイッチＳＷ２，ＳＷ３はオフ。
図６の第４充電動作      ：第１，第２スイッチＳＷ１，ＳＷ２はオフ、第３スイッチＳＷ３はオン。
【００６７】
このように、本発明の第３実施形態でも第１〜第４充電動作を実現できるが、第３スイッチＳＷ３が増え、そのための制御信号線ＳＷ３ｃｏｎｔ（図１１）も増える。
【００６８】
なお、上記のように本実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。
【００６９】
例えば、充電器１０Ａ〜１０Ｃは、接続された電子機器１の種別を判定するにあたり、次のように計測することができる。充電器１０Ａ〜１０Ｃは、ＤＣ電力に基づいて電子機器１を充電する充電初期に、第１充電電流Ａ１の電流値をＭ回計測する。Ｍ回の計測値のうちランダムに抜き出したＮ（Ｎは例えばＭの１／５〜１／１０となる整数）回に亘って基準値（例えば１．２Ａ）以上であれば、第１タイプの電子機器１であると判定する。そうでなければ、第２タイプの電子機器１であると判定する。第２タイプの場合、充電当初から第１充電動作（同時充電）を実施すると判定できる。第１タイプであれば、充電当初は第２充電動作（電子機器１の単独充電）とし、充電終期に第１充電動作に切り換えることができる。
【符号の説明】
【００７０】
１  電子機器（携帯電話機）、２  二次電池、
１０Ａ，１０Ｂ，１０Ｃ  充電器、１１  出力ケーブル、
１２  入力ケーブル、２０  入力部、３０  内蔵電池、４０  出力端子、
５０  充放電回路、５１  マイクロコンピューター、
１００  ＡＣ／ＤＣコンバーター、
Ａｄ１，Ａｄ２  検出電流、
Ｃ１，Ｃ２  コンデンサー、Ｄ１，Ｄ２  ダイオード、Ｌ  コイル、
Ｌ１  第１配線、Ｌ２  第２配線、Ｌ３  第３配線、Ｌ４  第４配線、
ＮＤ１  分岐ノード、ＮＤ２  第２ノード、
ＮＤ３  第３ノード、ＮＤ４  第４ノード、
ＰＷＭ１，Ｓ１  第１パルス幅変調回路、ＰＷＭ２，Ｓ２  第２パルス幅変調回路、
Ｒ１〜Ｒ８  抵抗、
ＳＷ１  第１スイッチ、ＳＷ２  第２スイッチ、ＳＷ３  第３スイッチ、
Ｖ１、Ｖ２、Ｖ３、Ｖ４、Ｖ５  検出電圧
【図１】
0006513974.tif 000004
【図２】
0006513974.tif 000005
【図３】
0006513974.tif 000006
【図４】
0006513974.tif 000007
【図５】
0006513974.tif 000008
【図６】
0006513974.tif 000009
【図７】
0006513974.tif 000010
【図８】
0006513974.tif 000011
【図９】
0006513974.tif 000012
【図１０】
0006513974.tif 000013
【図１１】
0006513974.tif 000014
【図１２】
0006513974.tif 000015
【図１３】
0006513974.tif 000016